(57)【特許請求の範囲】
【請求項１】
クランク機構を利用して背凭れの下端部と座の後端部とを連動して昇降させるようにしたものであって、前記クランク機構がクランク部と一端部に操作部を有するクランクシャフト部と一端部をクランク部に接続したクランクアーム部とを具備し、
クランクアーム部を、他端部を背凭れの下端部に接続し、中間部を中心に回転可能に構成して、このクランクアーム部により座の後端部を載せ置くようにして支持するようにし、前記操作部の回転操作によって背凭れの下端部と座の後端部とを連動して昇降させるようにしているとともに、
前記クランクアーム部の回転に伴い座のうち背凭れの下端部と連動して昇降する部位が座の後端部のみであることを特徴とする椅子。
【請求項２】
背凭れの下端部の昇降と連動して、ランバーサポート部として機能する部分を前後及び上下方向に向かって突没させ得るように構成していることを特徴とする請求項１記載の椅子。クランクアーム部の回転に伴い座のうち後端部のみが背凭れの下端部と連動して昇降する
【請求項３】
前記クランク機構を座の下方に配置していることを特徴とする請求項１又は２記載の椅子。
【請求項４】
背凭れの下端部に前記クランクアーム部の一端を係り合わせる係合部材を設けていることを特徴とする請求項１、２又は３記載の椅子。
【請求項５】
背凭れを、背凭れ本体とその下端部を補強する背凭れ下部補強部材とを具備するものとするとともに、前記背凭れ本体に前記係合部材を嵌め込み、前記背凭れ下部補強部材に窓を設けて前記クランクアーム部を窓を介して挿入し、前記係合部材と係り合わせるように構成したことを特徴とする請求項４記載の椅子。
【請求項６】
前記クランクアーム部の一端部に後方又は上方に開放された開口部を設け、この開口部においてクランクアーム部の一端部を前記係合部材に係り合わせていることを特徴とする請求項４又は５記載の椅子。
【請求項７】
前記クランクアーム部の一端部に長孔を設け、この長孔においてクランクアーム部の一端部を前記係合部材に係り合わせていることを特徴とする請求項４又は５記載の椅子。
【請求項８】
前記クランク部の回転経路上に経過的に押し開かれることによってクランク部を収容し保持するストッパを設け、このストッパにより前記クランク部の回転移動範囲を規制していることを特徴とする請求項１、２、３、４、５、６又は７記載の椅子。
【請求項９】
前記ストッパの形状が断面視略Ｃ字状をなすものであることを特徴とする請求項８記載の椅子。
【発明の詳細な説明】
【０００１】
【発明の属する技術分野】
本発明は、クランク機構の回転操作により背凭れを昇降させるようにした椅子に関する。
【０００２】
【従来の技術】
椅子において、その座り心地の良否は、身体に与える影響、執務効率等に与える影響の極めて大きいファクターであり、椅子の基本機能として最も重視されるところである。このため、例えばランバーサポート部を昇降させるべく背凭れの下端部を昇降させるとともに、骨盤を起こした姿勢に保持すべく座の後端部をこれと連動して昇降させるようにすることが考えられている。
【０００３】
【発明が解決しようとする課題】
このような椅子において、なるべく簡単な機構及び操作により背凭れの下端部及び座の後端部を連動して昇降させることができるものがより望ましい。特に、その連動のための機構は回転を利用したものであることが円滑な動作のために好ましい。また、操作を行う部分と背凭れの下端部とを接続する機構が外部に露出しないものであれば、外観をよりすっきり整えることができて望ましい。
【０００４】
そこで本発明は以上に述べた問題を解決し、簡単な操作で、かつ好適なデザインで背凭れの下端部を昇降できるようにするものである。
【０００５】
【課題を解決するための手段】
すなわち本発明に係る椅子は、クランク機構を利用して背凭れの下端部と座の後端部とを連動して昇降させるようにしたものであって、前記クランク機構がクランク部と一端部に操作部を有するクランクシャフト部と一端部をクランク部に接続したクランクアーム部とを具備し、クランクアーム部を、他端部を背凭れの下端部に接続し、中間部を中心に回転可能に構成して、このクランクアーム部により座の後端部を載せ置くようにして支持するようにし、前記操作部の回転操作によって背凭れの下端部と座の後端部とを連動して昇降させるようにしているとともに、前記クランクアーム部の回転に伴い座のうち背凭れの下端部と連動して昇降する部位が座の後端部のみであることを特徴とする。
【０００６】
このようなものであれば、操作部を、着座者が腕を鉛直下方に伸ばした位置付近に配置でき、さらにこの操作部を回転するだけで背凭れの下端部を昇降できるので、背凭れの下端部を昇降させる操作をより簡単かつスムーズに行うことができるとともに、背凭れの下端部と座の後端部とを連動して昇降させるようにしているので、より効果的に骨盤を保持させることができるようになる。ここで、背凭れの下端部と座の後端部とを連動して昇降させる構成にするのは、座の後端部を上昇させて骨盤を保持した状態にすると、背筋が伸びて背骨の湾曲部分が上方に移動するので、背凭れの下端部と座の後端部とを連動させても特に不都合はないからである。さらに、クランク機構を座の下方に設けることができるので、このクランク機構を目立たないようにでき、好適なデザインの椅子を提供できる。
【０００７】
さらに、前記クランクアーム部に座の後端部を載せ置くようにしているので、座の後端部は背凭れの下端部のすぐ前方にあることから、このように構成することにより前記クランクアーム部の昇降が直接座の後端部にも伝わり、より簡単な構成で座の後端部を昇降させるようにすることができる。なお、「クランクアーム部に座の後端部を載せ置く」とは、クランクアーム部に座の後端部を直接載せ置くだけでなく、クランクアーム部と座の後端部との間にスペーサを介在させることを含む。
【０００８】
さらに効果的に骨盤を起こした状態に保持させるようにするには、背凭れの下端部の昇降と連動して、ランバーサポート部として機能する部分を前後及び上下方向に向かって突没させ得るように構成するとよい。このランバーサポート部と座の後端部とが協働して骨盤を起こした状態にできるからである。
【０００９】
より好適なデザインの椅子を提供するには、前記クランク機構を座の下方に配置するようにすればよい。
【００１０】
前記クランクアーム部の一端を背凭れに接続する具体的な形状の一例として、背凭れの下端部に前記クランクアーム部の一端を係り合わせる係合部材を設けているものを挙げることができる。
【００１１】
このクランクアーム部を背凭れに効果的に取り付けるには、背凭れを、背凭れ本体とその下端部を補強する下端部補強部材とを具備するものとするとともに、前記背凭れ本体に前記係合部材を嵌め込み、前記下端部補強部材に窓を設けて前記クランクアーム部を窓を介して挿入し、前記係合部材と係り合わせるようにすればよい。
【００１２】
前記クランクアーム部をこの係合部材に係合させて背凭れの下端部に接続させるための構成の一例として、前記クランクアーム部の一端部に後方又は上方に開放された開口部を設け、この開口部においてクランクアーム部の一端部を前記係合部材に係り合わせているものを挙げることができる。
【００１３】
また、このような構成の他の一例として、前記クランクアーム部の一端部に長孔を設け、この長孔においてクランクアーム部の一端部を前記係合部材に係り合わせているものも挙げることができる。
【００１４】
前記クランク部の回転経路上に経過的に押し開かれることによってクランク部を収容し保持するストッパを設け、このストッパにより前記クランク部の回転移動範囲を規制しているものであれば、簡単な構成で前記クランク部を保持するようにできる。
【００１５】
より効果的に前記クランク部を保持するための前記ストッパの構成の一例としては、前記ストッパの形状が断面視略Ｃ字状をなすものを挙げることができる。
【００１６】
【発明の実施の形態】
以下に本発明の一実施形態について述べる。
【００１７】
本実施形態に係る椅子Ｃは、図１〜図３に示すように、構造体としての基盤をなすその椅子本体１が、脚２と、脚２の上端側に取り付けた支持基部３と、前部を前記支持基部３に支持させた座受４と、基端を前記支持基部３に取り付け中間部に前記座受４の後部を支持させた背フレーム５とから構成されるもので、この椅子本体１の座受４及び背フレーム５に各々座６及び背凭れ７を取り付けるようにしている。
【００１８】
先ず、椅子本体１について説明する。
【００１９】
脚２は、５本の脚羽根２１の中央から支柱２２を立ち上げた構造をなし、支柱２２は昇降可能であって内部に図示しないガススプリング機構を組み込んでいる。
【００２０】
支持基部３は、前記支柱２２の上端部に回転可能に取り付けたもので、図４に示すように、前方に水平に延びその一部に支柱２２を上下方向に貫通させてなる底壁３１と、この底壁３１の前端から斜め前方に傾斜して立ち上がる前壁３２と、これら底壁３１及び前壁３２の周囲より起立して前記底壁３１及び前壁３２とともに内側に上方に開口する機構部収納空間を形成する側壁３３とよりなる概略舟形をなす。この支持基部３は、その側壁３３の前部に、それぞれ背向する方向に軸心を一致させて前座受取付軸３４を一体突設或いは外付けできるようになっている。またこの支持基部３は、その底壁上方を横断する位置に、左右の側壁３３間に亘って背取付軸３５を貫通させている。
【００２１】
座受４は、その平面図を図５、支持基部３に取り付けた状態の斜視図を図６に示すように、前記支持基部３上に位置し、一定間隔を保って前後に平行に延びる縦フレーム４１と、これら縦フレーム４１の前端近傍部間及び後端近傍部間を連結する位置に横架した横フレーム４２とを具備する概略井桁状をなす。各々の縦フレーム４１の前端近傍部には、前後方向に延びる長孔４１１が対応づけて設けてあり、各々の長孔４１１に前記支持基部３の前座受取付軸３４の端部を同長孔４１１に沿ってスライド移動可能に挿入している。
【００２２】
背フレーム５は、図２、図３等に示すように、概略Ｌ字形に屈曲する一対の背フレーム要素５１と、これらの背フレーム要素５１の上端近傍部間を一定の間隙を保って連結する連結部材５２とを具備するもので、一対の背フレーム要素５１間に、当該背フレーム５１の基端５１ａと屈曲部位５１ｂとの間で図４及び図６に示す後座受取付軸５３を架設することができるようにしている。そして、各々の背フレーム要素５１の基端５１ａを前記支持基部３の背取付軸３５に回転可能に取り付け、背フレーム要素５１間に架設した後座受取付軸５３に座受４の縦フレーム４１の後部を取り付けている。
【００２３】
上記の構成によって、図４に示すように、この椅子本体１は、支持基部３の前座受取付軸３４を座受４の長孔４１１の後端側に位置付け背フレーム５が起き上がった図中実線で示す状態において椅子Ｃに通常使用姿勢を与え、支持基部３の前座受取付軸３４を座受４の長孔４１１の前端側に位置付け背フレーム５が後傾した図中想像線に示す状態において座受４の後端を沈み込ませて椅子Ｃに安息姿勢を与え、全体としていわゆるシンクロチルト機構を実現するものである。
【００２４】
そして、この椅子本体１は、前記シンクロチルト機構の一部に反力機構Ｈを組み込んでロッキング装置を構成するとともに、そのロッキングを所定位置に固定するロッキング固定機構Ｅ及びロッキング硬さを調整する反力調整機構Ａを当該ロッキング装置の構成要素として付加している。
【００２５】
反力機構Ｈは、図４及び図６に示すように、前記支持基部３の機構収納空間に後傾姿勢（略４５°）で配置され前上方端を固定リテーナＨ１に支持された一対のコイルスプリングＳと、背取付軸３５上にあって背フレーム５の傾動動作に同期して回転する第１回転アームＨ２と、この第１回転アームＨ２の背取付軸心から偏位した位置に軸回りに取り付けた可動リテーナＨ３とを具備し、この可動リテーナＨ３に前記コイルスプリングＳの後下方端を支持させて、背フレーム５の後傾動作に伴い第１回転アームＨ２を介して可動リテーナＨ３がコイルスプリングＳを圧縮する構造になっている。なお、図６において一対のコイルスプリングＳの間にある第１回転アームＨ２などは省略してある。
【００２６】
ロッキング位置固定機構Ｅは、その平面図を図５、座受４に取り付けた状態の斜視図を図６に示すように、中間部よりもやや基端側を座受４に第１鉛直軸Ｘ１回りに回転可能に取り付けた平面視扇形をなす一対のロック板Ｅ１と、背フレーム５のロッキング動作を前記一対のロック板Ｅ１の同期回転動作に変換する動作変換機構Ｅ２と、ロック板Ｅ１同士を選択的に固定する操作部Ｅ３とからなる。ロック板Ｅ１は、第１鉛直軸Ｘ１を通る径方向断面が下向Ｌ字形をなすもので、円周上にあって垂下した部分の集合である円筒面Ｅ１ａには径方向に開口する孔Ｅ１ｂが所定ピッチで円周方向の複数箇所に亘って設けてあり、同期回転動作に伴って、各孔Ｅ１ｂが両第１鉛直軸Ｘ１の軸心を結ぶ仮想直線ＬＩ１上に次々と到来して密接に対面するものである。動作変換機構Ｅ２は、一端を前記扇形をなすロック板Ｅ１の基端に第２鉛直軸と水平長孔との係わり合い部Ｘ２を介して接続し、他端を支持基部３の前座受取付軸３４に係わり合わせた剛体たる連結部材Ｅ２１からなるもので、ロッキング動作に伴って座受４が支持基部３に対して後下方へ移動すると、この座受４に搭載されているロック板軸支用の第１鉛直軸Ｘ１が追従するのに対して、ロック板Ｅ１の基端に係わり合う第２鉛直軸Ｘ２は連結部材Ｅ２１を介して支持基部３により一定位置に保持されるため、結果的に座受４がロッキングにより沈み込むと、扇形のロック板Ｅ１の円筒面Ｅ１ａが第１鉛直軸Ｘ１に押されて前記係わり合い部Ｘ２の周りを後方に旋回するようになっている。操作部Ｅ３は、前記仮想直線ＬＩ１に軸心を合致させて同軸心方向へ進退可能に配置したロックピンＥ３１と、基端を第３鉛直軸Ｘ３を介して座受４の横フレーム４２に回転可能に取り付けられ先端を水平長孔と鉛直ピンとの係わり合い部Ｘ４を介して前記ロックピンＥ３１に接続した第２回転アームＥ３２と、この第２回転アームＥ３２を前記両ロック板Ｅ１の孔Ｅ１ｂに通過させる方向に押し付けるバネ要素Ｅ４と、この第２回転アームＥ３２を前記バネ要素Ｅ４に抗し引き戻して前記ロックピンＥ３１を両ロック板Ｅ１の孔Ｅ１ｂから抜き取る操作を行うロッキング位置調整操作レバーＥ５とから構成され、ロッキング位置調整操作レバーＥ５は座受４の側方の適宜位置に取り付けてある。前記バネ要素Ｅ４と前記ロッキング位置調整操作レバーＥ５とは、図５に示すワイヤＥ６により接続されている。
【００２７】
このロッキング位置固定機構Ｅの利点としては、座受４の動きに連動させてロック板Ｅ１の外周をより大きく振らし、この外周においてロック板Ｅ１の孔Ｅ１ｂとロックピンＥ３１との係わり合いによりロック板Ｅ１同士を固定、ひいては座受４の動きを止めて背座をそのロッキング位置に固定するものであるため、ロック板Ｅ１の孔Ｅ１ｂの間隔を比較的大きくとっても背座のロッキング固定を比較的小刻みに行える点、第1鉛直軸Ｘ１からロック板Ｅ１の孔Ｅ１ｂとロックピンＥ３１との係わり合いの部分までのトルクアームが当該第1鉛直軸Ｘ１からロック板Ｅ１と連結部材Ｅ２１との係わり合い部Ｘ２までのトルクアームよりも大きいため、ロックに要する力を軽減することができ、ロックピンＥ３１やロック板Ｅ１に剛性さえ付与すれば固定に必要な機構自体を簡素なものにできる点、一対のロック板Ｅ１を相互に拘束し合うことで背凭れ７のロッキング固定を行うため、連結部材Ｅ２１以外の操作部等の要素部品を全て座受４側に搭載することができ、座６の移動に対して操作部を常に一定の相対位置に配置しておくことができる点、さらには、あるロッキング状態で着座者が椅子から離れ、反力機構Ｈによって背座が起き上がろうする方向に動こうとする場合、本実施形態の構造によればロックピンＥ３１がロック板Ｅ１の孔Ｅ１ｂからせん断方向の押付力を受けることになるため、これによる摩擦力でロックピンＥ３１が孔Ｅ１ｂから抜けることが阻止され、椅子から立ち上がっても背座が急激に起き上がることが防止される点、そして再び着座することによって、上記せん断方向の力が消失して改めてロック解除の操作が可能となる点などが挙げられる。また、扇形のロック板Ｅ１は水平面内で回転するだけであるため、薄い設計が可能となる点、扇形のロック板Ｅ１の外周部に互いに噛み合う歯を形成すれば、動作のズレをなくすこともできる点なども利点として挙げられる。
【００２８】
反力調整機構Ａは、図４に示すように、前記コイルスプリングＳの固定リテーナＨ１を、実際には軸状のバックアップ部材Ａ１０によって当該固定位置に保持するように構成した上で、このバックアップ部材Ａ１０を一部に備え水平軸Ａ１１回りに回転可能な第３回転アームＡ１と、この第３回転アームＡ１の前記水平軸Ａ１１から偏位した位置においてその偏位方向と略直交する方向からねじ結合させたグリップＡ２１を有するねじ要素Ａ２とにより構成したもので、そのねじ要素Ａ２は支持基部３の前壁３２を貫通して前壁３２の外部に突出し、その突出位置に当該グリップＡ２１を配置している。そして、グリップ操作を通じてねじ要素Ａ２１にねじ送り動作を与えると、第３回転アームＡ１が水平軸Ａ１１回りに回転して、バックアップ部材Ａ１０を介しリテーナＨ１のバックアップ位置を、コイルスプリングＳの圧縮力を増減させる方向に移動させ得るようにしている。なお、第３回転アームＡ１とねじ要素Ａ２とは、操作位置に応じて交差角度が変化するため、ねじ要素Ａ２の先端に押さえ板Ａ２２を取り付け、第３回転アームＡ１には部分円弧状の突起Ａ１２を形成して、この突起Ａ１２を押さえ板Ａ２２により押し付けさせることで交差角度が変化しても対応できるようにしている。
【００２９】
この反力調整機構Ａの利点としては、コイルスプリングＳの長手寸法内に組み込むことができるため、コイルスプリングＳの一端側に反力調整機構を導入する場合に比べて、反力機構Ｈを含め軸方向のコンパクト化を図ることができる点、コイルスプリングＳを後傾姿勢（この実施形態においては略４５°程度の傾斜）で配置しているため、このコイルスプリングＳを収容している支持基部３の前後寸法の短寸化、ひいては座６を前後スライドさせるときの座６と支持基部３との干渉を有効に回避して動作代を十分に確保することができる点、このようにしても操作用のグリップＡ２１は操作し易い支持基部３の前壁３２に配置できる点、第３回転アームＡ１の腕の長さに基づく「てこ」の作用で軽く操作できる点などが挙げられる。
【００３０】
そして、座６を座受４に取り付けるとともに、背凭れ７を背フレーム５に取り付けて、本実施形態の椅子Ｃは完成される。
【００３１】
本実施形態では、背凭れ７は、図７及び図８に示すように、当該背凭れ７の外形を形作るロの字形をなす弾性材製の芯材７１ａ及びこの芯材７１ａを袋状に縫製した内部に収容してなる張地７１ｂとからなる背凭れ本体７１と、この背凭れ本体７１の上部の背面に配置された下向きコの字形をなし剛性のある素材で作られてなる背凭れ上部補強部材７２と、この背凭れ本体７１の下端部を覆う筐体状の背凭れ下部補強部材７３とを具備する。芯材７１ａはその上下方向中間部よりもやや下方位置にあってランバーサポート部７１ｘとして機能する部分が前方に突出するような右側面視「く」の字形に若干屈曲させて成形してある。さらに、背フレーム要素５１に、背凭れ上支持部５１１を形成している。この背凭れ上支持部５１１にはピン挿通孔５１１ａが設けてあり、このピン挿通孔５１１ａを前記背凭れ上部補強部材７２の下端部７２ａに設けたピン挿通孔７２ａ１に合致させて水平ピン７２１を挿通し、この水平ピン７２１を介して背凭れ上部補強部材７２を背凭れ上支持部５１１に回転可能に接続している。さらに、この背凭れ７の上端部をなす背凭れ本体７１の上方及び背凭れ上部補強部材７２には、共通の上張地７２ｂを被せるようにしている。
【００３２】
しかして、本実施形態では、分解斜視図を図８、背凭れ７との接続部付近の縦断面図を図９にそれぞれ示すように、クランク機構８を利用して背凭れ７の下端部７ｘと座６の後端部６ｙとを連動して昇降させるようにしている。具体的には、前記クランク機構８はクランク部８１と一端部に操作部たる操作つまみ８２１を有するクランクシャフト部８２と一端部をクランク部８１に接続したクランクアーム部８３とを具備する。このクランクアーム部８３は、他端部を背凭れ７の下端部７ｘに接続し、中間部の回転中心Ｘ１０を中心に回転可能に構成して、さらにこのクランクアーム部８３により座６の後端部６ｙを支持するようにしている。そして、前記操作つまみ８２１の回転操作によって背凭れ７の下端部７ｘと座６の後端部６ｙとを連動して昇降させるようにしている。なお、前記クランクアーム部８３は、本実施形態では左右に離間して１対設けられている。
【００３３】
より具体的には、前記クランク部８１及びクランクシャフト部８２は、１本の金属棒を屈曲させて形成している。クランクシャフト部８２は、背フレーム要素５１に回転可能に支持させてあり、一端を一方の背フレーム要素５１貫通させてある。一方、クランクアーム部８３は、一端部に長孔８３１を設けてクランク部８１を挿し通すようにするとともに、回転中心Ｘ１０にも貫通孔を設けて軸部材８４を貫通させている。この軸部材８４は両側の背フレーム要素５１間に横架して設けている。また、前記クランクアーム部８３は、その上縁において座６の後端部６ｙの下面を支持する位置に配置されていて、このクランクアーム部８３に座６の後端部６ｙを載せ置くようにしている。
【００３４】
さらに、前記クランク部８１の移動経路上にこのクランク部８１の移動範囲を規制するストッパ８５（図８では省略）を設けている。このストッパ８５は、図１０に示すように、樹脂等により構成された断面視略Ｃ字状をなすもので、背フレーム要素５１間に横架して設けたストッパ台板８５１から起立して設けたストッパ取付部材８５２に、開口部をクランク部８１の移動範囲に向けて取り付けている。
【００３５】
背凭れ下部補強部材７３の背面にはスライダ８６（図８では省略）が設けてあり、適当な位置に固定したガイド部材８７（図８では省略）に常に係り合わせるようにして背凭れ７の下端部７ｘを平行に昇降させるようにしている。本実施形態において、スライダ８６は円筒状、ガイド部材８７は軸状のものである。
【００３６】
そして、背凭れ７の下端部７ｘに、この背凭れ７の下端部７ｘと前記クランクアーム部８３と接続するための係合部材７４を設けている。一方、前記クランクアーム部８３の前記長孔８３１と反端側の一端部には後方に開放された開口部８３ａを設けてあり、この開口部８３ａと、前記係合部材７４とを係り合せている。この係合部材７４は、前記背凭れ本体７１に嵌め込むように構成してある。前記下部補強部材７３の前壁にはクランクアーム挿入窓７３ａを設けてあり、このクランクアーム挿入窓７３ａから前記クランクアーム部８３を挿入可能に構成している。より具体的には、前記背凭れ本体７１を構成する芯材７１ａの下縁近傍に前方に開口する係合部材取付溝７ｘ１を設けてこの係合部材取付溝７ｘ１に前記係合部材７４を挿入するようにするとともに、この係合部材取付溝７ｘ１の幅方向中心部に、幅寸法が前記係合部材取付溝７ｘ１よりも小さく、高さ寸法及び深さ寸法が前記係合部材取付溝７ｘ１よりも大きいクランクアーム挿入穴７ｘ２をさらに設けている。そして、前記係合部材取付溝７ｘ１に前記係合部材７４を挿入してから、前記クランクアーム挿入窓７３ａを前記クランクアーム挿入穴７ｘ２に重合させるようにして前記下部補強部材７３を前記背凭れ本体７１の下端部に取り付けるようにしている。
【００３７】
以下に、このように構成したクランク機構８を用いて背凭れ７の下端部７ｘを図７及び図９の実線に示す位置から想像線に示す位置まで移動させる方法を述べる。
【００３８】
前記操作つまみ８２１を図７の矢印ｘの方向に略１８０度回転させると、図９に示すように、クランク部８１がクランクシャフト部８２とともに、クランクシャフト部８２に対して上に凸になる位置からクランクシャフト部８２に対して下に凸になる位置まで略１８０度回転するとともに、長孔８３１とクランク部８１との係り合いを介してクランクアーム部８３が回転する。そして、背凭れ７の下端部に設けた係合部材７４がクランクアーム部８３の開口部８３ａによって持ち上げられ、その結果、背凭れ７の下端部７ｘが図９の実線に示す位置から想像線に示す位置まで上昇し、このときクランクアーム部８３の上面がカムの役割を果たして座６の後端部６ｙが背凭れ７の下端部７ｘと連動して図９の実線に示す位置から想像線に示す位置まで上昇する。そして、ストッパ８５が経過的に押し開かれてこのストッパ８５にクランク部８１が収容されて保持され、背凭れ７の下端部７ｘ及び座６の後端部６ｙが図９の想像線に示す位置を保つ。
【００３９】
一方、背凭れ７の下端部７ｘが上昇すると、ランバーサポート部７１ｘとして機能する部分が前方及び上方に突出して、背凭れ７は図７の実線で示す形状から想像線で示す形状に変形する。
【００４０】
また、逆の操作を行うと、背凭れ７の下端部７ｘは図７及び図９の想像線に示す位置から実線に示す位置に戻り、これに連動して座６の後端部６ｙ及び背凭れ７の形状も図７及び図９の想像線に示す位置から実線に示す位置に戻る。
【００４１】
このように、操作つまみ８２１を回転操作によって座６の後端部６ｙと背凭れ７の下端部７ｘとを連動して昇降させることにより、より簡単な操作で効果的に骨盤を保持させることができるようになる。
【００４２】
さらに、背凭れ７の下端部７ｘが上昇するとランバーサポート部７１ｘとして機能する部分が前方及び上方に突出するようにしているので、さらに効果的に骨盤を保持させることができるようになる。
【００４３】
また、クランクアーム部８３に座６の後端部６ｙを載せ置くようにしているので、簡単な構成で座の後端部を昇降させることができる。
【００４４】
そして、クランク機構８を座６の下方に設けているので、このクランク機構８を目立たないようにでき、好適なデザインの椅子を提供できる。
【００４５】
加えて、前記クランク部８１の回転経路上に経過的に押し開かれることによってクランク部８１を収容し保持するストッパ８５を設け、このストッパ８５により前記クランク部８１の回転移動範囲を規制しているので、簡単な構成で前記クランク部８１を保持することができる。
【００４６】
なお、本発明は以上に述べた実施形態に限られない。
【００４７】
例えば、背凭れの下端部に設けられクランクアーム部の一端と掛かり合わせる係合部材は、図１１に示すように、背凭れ本体７１と樹脂一体成形して形成した係合部材７５のように構成してもよい。さらに、クランクアーム部の一端部に上方に突出する係合爪を設け、背凭れの下端部に設けた係合穴にこの係合爪を係り合わせて係合爪により背凭れの下端部が持ち上げられるようにする等、背凭れの下端部に係合部材を設ける以外の方法で背凭れの下端部とクランクアーム部とを係り合わせるようにしてもよい。
【００４８】
クランクアーム部の前記係合部材と係り合わせる部分は、上述した実施形態のように後方に開放された開口部にする代わりに、上方に開放された開口部にしてもよく、また長孔を設けてこの長孔と前記係合部材とを係り合わせるようにしてもよい。
【００４９】
また、クランクアーム部と座の後端部との中間にスペーサを介在させてもよいし、クランクアーム部に座の後端部を載せ置くようにする代わりに背凭れの下端部に座の後端部を支持させる等、別の方法により背凭れの下端部と座の後端部とを連動させるようにしてもよい。
【００５０】
さらに、背凭れの下端部を昇降させてもランバーサポート部は前方に突出しないようにしてもよい。
【００５１】
そして、ストッパの形状は、断面視略Ｃ字状をなすもの以外に、チャネル状をなすもの等、他の形状のものを用いてもよいし、ストッパの回転経路に沿って円弧状のスリットを設けてクランクをこのスリットに挿通させてスリットによりストッパの回転経路のガイドと移動範囲の規制を行うようにする等してもよい。
【００５２】
加えて、クランク機構は、座の下方に配置する代わりに、座の内部に埋め込むなど他の位置に配置してもよい。
【００５３】
その他の構成も、本発明の趣旨を逸脱しない範囲で種々変形が可能である。
【００５４】
例えば、図１２は変形例としての反力調整機構Ｆを示している。この反力調整機構Ｆは、コイルスプリングＳの固定リテーナＨ１を軸状のバックアップ部材Ｆ１０によって当該固定位置に保持するように構成した上で、このバックアップ部材Ｆ１０を一部に備え鉛直軸Ｆ１１回りに回転可能な回転アームＦ１と、この回転アームＦ１の前記鉛直軸Ｆ１１から偏位した位置においてその偏位方向と略直交する方向からねじ結合させたグリップＦ２１を有するねじ要素Ｆ２とにより構成したもので、そのねじ要素Ｆ２は支持基部３の側壁３３を貫通して側壁３３の外側方に突出し、その突出位置に当該グリップＦ２１を配置している。そして、グリップ操作を通じてねじ要素Ｆ２１にねじ送り動作を与えると、回転アームＦ１が鉛直軸Ｆ１１回りに回転して、バックアップ部材Ｆ１０を介しリテーナＨ１のバックアップ位置を、コイルスプリングＳの初期圧縮量を増減させる方向に移動させ得るようにしているものである。
【００５５】
このように構成すると、支持基部３の底壁３１と直交する方向の嵩張りが抑えられるので、支持基部３及びその周辺の薄肉化を有効に追求することが可能となる。
【００５６】
【発明の効果】
本発明は、以上に詳述したように、クランク機構を用いて背凭れの下端部と座の後端部とを連動して昇降させるようにしているので、より簡単な操作でより効果的にランバーサポート部を昇降させるとともに骨盤を保持させるようにする機構を実現できる。
【図面の簡単な説明】
【図１】本発明の一実施形態に係る椅子の正面図。
【図２】同実施形態に係る椅子の側面図。
【図３】同実施形態に係る椅子の背面図。
【図４】同実施形態に係る椅子の支持基部付近を示す縦断面図。
【図５】同実施形態に係る椅子の座受を示す平面図。
【図６】同実施形態に係る椅子の座受を支持基部に取り付けた状態を示す斜視図。
【図７】同実施形態に係る椅子の背凭れの機構及び動作を示す概念図。
【図８】同実施形態に係る椅子の背凭れの構造を示す分解斜視図。
【図９】同実施形態に係る椅子のクランク機構を示す概略図。
【図１０】同実施形態に係る椅子のクランク機構のストッパを示す概略図。
【図１１】本発明の他の実施形態に係る椅子の背凭れの下端部を示す概略図。
【図１２】本発明に係る椅子のさらに他の実施態様を示す図。
【符号の説明】
Ｃ…椅子
６…座
６ｙ…座の後端部
７…背凭れ
７ｘ…背凭れの下端部
７１ｘ…ランバーサポート部
７３…背凭れ下部補強部材
７３ａ…クランクアーム挿入窓
７４、７５…係合部材
８…クランク機構
８１…クランク部
８２…クランクシャフト部
８２１…操作つまみ（操作部）
８３…クランクアーム部
８５…ストッパ
【図１】
0004025106.tif 000002
【図２】
0004025106.tif 000003
【図３】
0004025106.tif 000004
【図４】
0004025106.tif 000005
【図５】
0004025106.tif 000006
【図６】
0004025106.tif 000007
【図７】
0004025106.tif 000008
【図８】
0004025106.tif 000009
【図９】
0004025106.tif 000010
【図１０】
0004025106.tif 000011
【図１１】
0004025106.tif 000012
【図１２】
0004025106.tif 000013